(57)【特許請求の範囲】
【請求項１】
互いに差動入力となる第１及び第２の入力端を有する第１の高周波回路と、
不平衡出力となる第１の出力端を有する第２の高周波回路と、
互いに平衡出力となる第２及び第３の出力端を有する第３の高周波回路と、
前記第２の高周波回路を前記第１の高周波回路に接続する第１モードでは、前記第２の高周波回路の第１の出力端を前記第１の高周波回路の第１の入力端に結合すると共に前記第１の高周波回路の第２の入力端を接地し、前記第３の高周波回路を前記第１の高周波回路に接続する第２モードでは、前記第３の高周波回路の第２の出力端を前記第１の高周波回路の第１の入力端に結合すると共に前記第３の出力端を前記第２の入力端に結合するスイッチ回路と、を具備し、
前記スイッチ回路は、前記第２の高周波回路の第１の出力端と前記第１の高周波回路の第１の入力端との間に設けられた第１のスイッチ手段と、前記第３の高周波回路の第２の出力端と前記第１の高周波回路の第１の入力端との間に設けられた第２のスイッチ手段と、前記第３の高周波回路の第３の出力端と前記第１の高周波回路の第２の入力端とを接続し、当該接続点とグラウンドとの間に設けられた第３のスイッチ手段とを備え、
前記第１モードでは、前記第１のスイッチ手段及び前記第３のスイッチ手段を導通させると共に前記第２のスイッチ手段を開放させ、
前記第２モードでは、前記第１のスイッチ手段及び前記第３のスイッチ手段を開放させると共に、前記第２のスイッチ手段を導通させることを特徴とする電子回路。
【請求項２】
前記第１の高周波回路及び前記第１から第３のスイッチ手段を集積回路上に構成したことを特徴とする請求項１記載の電子回路。
【請求項３】
前記第１の高周波回路は混合回路であり、前記第２の高周波回路はＶＨＦ回路であり、前記第３の高周波回路はＵＨＦ回路であることを特徴とする請求項１又は請求項２に記載の電子回路。
【請求項４】
請求項１から請求項３のいずれかに記載の電子回路を搭載したテレビジョンチューナ。
【発明の詳細な説明】
【技術分野】
【０００１】
本発明は、平衡出力と不平衡出力とが混在する電子回路及びその電子回路を備えたテレビジョンチューナに関する。
【背景技術】
【０００２】
差動回路で構成された混合回路への入力方式として、差動入力端子にそれぞれ平衡入力信号を直接入力する方式（例えば、特許文献１参照）と、差動入力の一方の端子をグラウンドに落として不平衡入力とする方式（例えば、特許文献２参照）とがある。平衡出力と不平衡出力とが混在する電子回路としてＵＨＦ及びＶＨＦ対応のテレビジョンチューナが知られている。
【０００３】
図７は、従来のテレビジョンチューナの構成を示すブロック図であり、アンテナから中間周波増幅回路までの構成が示されている。同図に示すテレビジョンチューナ１００は、ＵＨＦ側ブロック１０１とＶＨＦ側ブロック１０２とを備えている。ＵＨＦ側ブロック１０１は、アンテナ同調回路１１１、高周波増幅回路１１２、段間同調回路１１３、混合回路１１４が順次縦続接続されて構成されている。ＶＨＦ側ブロック１０２は、同様に、アンテナ同調回路１２１、高周波増幅回路１２２、段間同調回路１２３、混合回路１２４が順次縦続接続されて構成されている。
【０００４】
ＶＨＦ側ブロック１０２では、アンテナ同調回路１２３においてＶＨＦ帯のハイバンド又はローバンドの高周波信号が取り出され、高周波増幅回路１２２において増幅される。段間同調回路１２３において選局データに対応した同調電圧にしたがって所望のテレビジョン信号が選択され、混合回路１２４に対して不平衡出力される。
【０００５】
ここで、ＶＨＦ側ブロック１０２の段間同調回路１１３は出力方式が不平衡出力となる不平衡回路である。段間同調回路１１３が差動回路で構成される混合回路１２４の一方の入力端にのみ結合され、他方の入力端はグラウンドに固定される。混合回路１２４は、ＶＨＦハイバンド発振回路１２５又はＶＨＦローバンド発振回路１２６から入力する局部発振信号と選択したテレビジョン信号とを混合して中間周波信号に周波数変換する。中間周波同調回路１３１において選択テレビジョン信号の中間周波信号が取り出され、中間周波増幅器１３２で増幅された後、図示されていない後段の回路へ入力される。
【０００６】
またＵＨＦ側ブロック１０１では、アンテナ同調回路１１１においてＵＨＦ帯のテレビジョン信号が取り出され、高周波増幅回路１１２において増幅される。段間同調回路１１３において選局データに対応した同調電圧にしたがって所望のテレビジョン信号が選択され、混合回路１１４へ平衡出力される。
【０００７】
ここで、ＵＨＦ側ブロック１０１の段間同調回路１１３は出力形式が平衡出力となる平衡回路である。段間同調回路１１３が差動回路で構成される混合回路１１４の双方の入力端に結合されるように構成される。混合回路１１４は、ＵＨＦ発振回路１２７から入力する局部発振信号と選択したテレビジョン信号とを混合して中間周波信号に周波数変換する。中間周波同調回路１３１において選択テレビジョン信号の中間周波信号が取り出され、中間周波増幅器１３２で増幅された後、図示されていない後段の回路へ入力される。
【０００８】
【特許文献１】特開２００３−５１８６０号公報
【特許文献２】特開２００３−３０９７７７号公報
【発明の開示】
【発明が解決しようとする課題】
【０００９】
しかしながら、ＶＨＦ側ブロック１０２の段間同調回路１２３の不平衡出力に対応させて構成された不平衡入力型の混合回路１２４と、ＵＨＦ側ブロック１０１の段間同調回路１１３の平衡出力に対応させて構成された平衡入力型の混合回路１１４とを別々に設けたのではコストアップになると共に回路が大型化する問題があった。特に、図７に点線で囲んだ部分１４０（混合回路及び局部発振回路）をＩＣ化しようとした場合、２つの混合回路１１４，１２４が並存しているために小型化するのが困難であった。
【００１０】
なお、上記した従来例は不平衡出力となるＶＨＦ側ブロック１０２の段間同調回路１１３と、平衡出力となるＵＨＦ側ブロック１０１の段間同調回路１１３とに夫々対応してそれぞれの入力型の混合回路１１４，１２４を設けている。前段の回路が不平衡出力と平衡出力の２種類あって、後段の回路、例えば高周波増幅回路で増幅するような構成の場合も、上記同様に不平衡入力型の差動増幅回路と平衡入力型の差動増幅器とが２つへ依存する構成になる。このような場合も上記同様にコストアップ及び大型化の問題が生じる。
【００１１】
本発明は、かかる点に鑑みてなされたものであり、平衡出力と不平衡出力とが混在する場合であっても、平衡入力型の高周波回路と不平衡入力型の高周波回路とを別々に設けることなく１つの高周波回路で対応することができ、コストダウンと小型化を図ることのできる電子回路及びテレビジョンチューナを提供することを目的とする。
【課題を解決するための手段】
【００１２】
本発明の電子回路は、互いに差動入力となる第１及び第２の入力端を有する第１の高周波回路と、不平衡出力となる第１の出力端を有した第２の高周波回路と、互いに平衡出力となる第２及び第３の出力端を有した第３の高周波回路と、前記第２の高周波回路を前記第１の高周波回路に接続する第１モードでは、前記第２の高周波回路の第１の出力端を前記第１の高周波回路の第１の入力端に結合すると共に前記第１の高周波回路の第２の入力端を接地し、前記第３の高周波回路を前記第１の高周波回路に接続する第２モードでは、前記第３の高周波回路の第２の出力端を前記第１の高周波回路の第１の入力端に結合すると共に前記第３の高周波回路の第３の出力端を前記第１の高周波回路の第２の入力端に結合するスイッチ回路と、を具備し、前記スイッチ回路は、前記第２の高周波回路の第１の出力端と前記第１の高周波回路の第１の入力端との間に設けられた第１のスイッチ手段と、前記第３の高周波回路の第２の出力端と前記第１の高周波回路の第１の入力端との間に設けられた第２のスイッチ手段と、前記第３の高周波回路の第３の出力端と前記第１の高周波回路の第２の入力端とを接続し、当該接続点とグラウンドとの間に設けられた第３のスイッチ手段とを備え、前記第１モードでは、前記第１のスイッチ手段及び前記第３のスイッチ手段を導通させると共に前記第２のスイッチ手段を開放させ、前記第２モードでは、前記第１のスイッチ手段及び前記第３のスイッチ手段を開放させると共に、前記第２のスイッチ手段を導通させることを特徴とする。
【００１３】
この構成によれば、第１モードでは第２の高周波回路を第１の高周波回路に結合して第１の高周波回路を不平衡入力型で動作せることができ、第２モードでは第３の高周波回路を第１の高周波回路に結合して平衡入力型で動作させることができる。したがって、スイッチ回路により１つの高周波回路を不平衡入力型と平衡入力型とに切り替えて動作させることができ、コストダウン及び小型化を図ることができる。また、第１モードでは第１のスイッチ手段及び第３のスイッチ手段を導通させると共に第２のスイッチ手段を開放させることで、第２の高周波回路を第１の高周波回路に結合して第１の高周波回路を不平衡入力型で動作させることができる。また第２モードでは第１のスイッチ手段及び第３のスイッチ手段を開放させると共に、第２のスイッチ手段を導通させることにより、第３の高周波回路を第１の高周波回路に結合して平衡入力型で動作させることができる。
【００１６】
なお、前記第１の高周波回路及び前記第１から第３のスイッチ手段を集積回路上に構成することが望ましく、平衡入力型と不平衡入力型とで別々に高周波回路を設ける必要が無く、集積回路の小型化が可能である。
【発明の効果】
【００１７】
本発明によれば、平衡出力と不平衡出力とが混在する場合であっても、平衡入力型の高周波回路と不平衡入力型の高周波回路とを別々に設けることなく１つの高周波回路で対応することができ、コストダウンと小型化を図ることのできる電子回路及びテレビジョンチューナを提供できる。
【発明を実施するための最良の形態】
【００１８】
以下、本発明の実施の形態について添付図面を参照して詳細に説明する。
図１は本発明の一実施の形態に係るテレビジョンチューナの構成図であり、図７と同様にアンテナから中間周波増幅回路までの構成が示されている。なお、図７に示すテレビジョンチューナと同一部分には同一符号を付している。
【００１９】
図１に示すテレビジョンチューナ１は、ＵＨＦ側ブロック２とＶＨＦ側ブロック３とを備えている。第３の高周波回路となるＵＨＦ側ブロック２は、アンテナ同調回路１１１、高周波増幅回路１１２、段間同調回路１１３、ＶＨＦ側ブロック３と共用する混合回路１０が順次縦続接続されて構成されている。第２の高周波回路となるＶＨＦ側ブロック３は、同様に、アンテナ同調回路１２１、高周波増幅回路１２２、段間同調回路１２３、ＵＨＦ側ブロック２と共用する混合回路１０が順次縦続接続されて構成されている。ＵＨＦ側ブロック２の段間同調回路１１３とＶＨＦ側ブロック３の段間同調回路１２３とは、スイッチ回路４を介して第１の高周波回路となる混合回路１０に接続する構成となっている。混合回路１０には、ＶＨＦハイバンド発振回路１２５又ＶＨＦローバンド発振回路１２６から局部発振信号が供給されると共にＵＨＦ発振回路１２７から局部発振信号が供給される。また、中間周波増幅回路１３２の出力は図示していない同調回路を介してテレビチューナ１の出力として取り出され、図示していないテレビ受信機内に構成されている中間周波増幅回路、ＳＡＷフィルタを介してビデオ検波回路でビデオ信号として取り出される。
【００２０】
図２は、段間同調回路１１３、１２３の各二次側から混合回路１０に掛けての回路構成を示す図である。ＶＨＦ側ブロック３における段間同調回路１２３の二次側は、インダクタンス素子１４１の一端がバラクタダイオード１４２を介して混合回路１０が搭載されたＩＣ基板２０の第１端子部１１に接続されると共に、他のバラクタダイオード１４３を介してグラウンドに接続されている。段間同調回路１２３の第１端子部１１との接続端が不平衡出力となる第１の出力端となる。インダクタンス素子１４１の他端にはコンデンサ１４４を介して他のインダクタンス素子１４５が直列接続されている。バラクタダイオード１４２、１４３のカソードには同調電圧Ｖtuが印加され、段間同調回路１２３の不平衡出力信号が混合回路１０の第１端子部１１に入力される構成となっている。
【００２１】
なお、インダクタンス素子１４５の他端は、図示されていないが一次側のインダクタンス素子に接続されると共に他のインダクタンス素子を介してグラウンドに接続されている。
【００２２】
また、ＵＨＦ側ブロック２における段間同調回路１１３の二次側は、インダクタンス素子１５１に対してバラクタダイオード１５２が並列接続されている。インダクタンス素子１５１の一端はＬＣ並列回路１５３を介して混合回路１０が搭載されるＩＣ基板２０の第２端子部１２に接続され、インダクタンス素子１５１の他端はＬＣ並列回路１５４を介して上記ＩＣ基板２０の第３端子部１３に接続されている。段間同調回路１１３の第２端子部１２との接続端が一方の平衡出力となる第２の出力端となり、段間同調回路１１３の第３端子部１３との接続端が他方の平衡出力となる第３の出力端となる。インダクタンス素子１５１の一端とＬＣ並列回路１５３との間にはコンデンサ１５５が設けられ、インダクタンス素子１５１の他端とＬＣ並列回路１５４との間にコンデンサ１５６が設けられている。インダクタンス素子１５１の他端は抵抗素子１５７を介してグラウンドに接続されている。バラクタダイオード１５２のカソードには同調電圧Ｖtuが印加され、段間同調回路１１３の平衡出力が第２端子部１２及び第３端子部１３に印加される。
【００２３】
上記第１〜第３端子部１１〜１３は、混合回路１０及び図示していないハイバンド発振回路１２５、ローバンド発振回路１２６、ＵＨＦ発振回路１２７が作り込まれるＩＣ基板２０に設けられる。
【００２４】
スイッチ回路４は、第１〜第４トランジスタ１４〜１７を主な構成要素として構成される。第１のスイッチ手段としての第１トランジスタ１４は、ベースがコレクタと接続されているとともに第１端子部１１に接続され、エミッタが混合回路１０の第１の入力端となるトランジスタＱ１のベースに接続されると共に抵抗素子１８を介してグラウンドに接続されている。
【００２５】
第２のスイッチ手段としての第２トランジスタ１５は、ベースがコレクタと接続されているとともに第２端子部１２に接続され、エミッタが混合回路１０の第１の入力端となるトランジスタＱ１のベースに接続されると共に抵抗素子１８を介してグラウンドに接続されている。
【００２６】
第３のスイッチ手段としての第３トランジスタ１６は、コレクタが第３端子部１３に接続されると共に抵抗素子１９を介して第２端子部１２に接続され、さらにコンデンサ２５を介して混合回路１０の第２の入力端となるトランジスタＱ２のベースに接続されている。また、第３トランジスタ１６のエミッタはグラウンドに接続されている。
【００２７】
すなわち、第３トランジスタ１６をオンすることにより、ＵＨＦ側ブロック２の平衡出力が印加される第２、第３端子部１２，１３を接地すると共に混合回路１０の第２の入力端（トランジスタＱ２のベース）を接地することができる。
【００２８】
第４トランジスタ１７のコレクタはバイアス電圧Ｖｃｃが印加されており、エミッタは抵抗素子２１を介して第１トランジスタ１４のコレクタ及びベースに接続されている。また、第１トランジスタ１４のコレクタはベースと接続されていると共に抵抗素子２４を介して接地されている。
【００２９】
また、テレビジョンチューナ１は、図示していないが、ＰＬＬ回路を内蔵した選局用ＩＣを備えており、この選局用ＩＣはテレビ受信機から入力される選局データによってバンド切り替え電圧や同調電圧を出力する。バンド切り替え電圧としては、ＶＨＦ帯のローバンドを選択するＶlo、ＶＨＦ帯のハイバンドを選択するＶhi、ＵＨＦバンドを選択するＶuがある。本実施の形態は、バンド切り替え電圧Ｖloが出力されている場合はオン信号ＢＳ１を出力し、バンド切り替え電圧Ｖhiが出力されている場合はオン信号ＢＳ２を出力する。また、バンド切り替え電圧Ｖuが出力されている場合はオフ信号ＢＳＥを出力するように回路構成している。オン信号ＢＳ１、ＢＳ２、オフ信号ＢＳＥは第３トランジスタ１６及び第４トランジスタ１７のベースへ印加する。また、選局用ＩＣのＰＬＬ回路は、選局データ、ハイバンド発振回路１２５、ローバンド発振回路１２６、ＵＨＦ発振回路１２７から出力された局部発振信号、基準発振回路から出力された基準信号などに基づいて同調電圧を生成する。同調電圧Ｖtuと選曲データ（ｃｈ）との関係を図５に示す。図５に示すチューニング曲線に基づいて、選択チャネルに応じた電圧値を有する同調電圧Ｖtuを出力する。
【００３０】
ここで、混合回路１０の回路構成について説明する。トランジスタＱ１及びＱ２のエミッタが互いに接続される。このトランジスタＱ１及びＱ２の各エミッタは電流源２２，２３を介して接地される。このトランジスタＱ１及びＱ２により、第１の差動回路が構成される。
【００３１】
また、トランジスタＱ３及びＱ４の互いのエミッタが互いに接続される。このトランジスタＱ３及びＱ４により、第２の差動回路が構成される。このトランジスタＱ３及びＱ４の互いのエミッタの接続点は、第１の差動回路を構成する一方のトランジスタＱ１のコレクタに接続される。
【００３２】
また、トランジスタＱ５及びＱ６の互いのエミッタが接続される。このトランジスタＱ５及びＱ６により、第３の差動回路が構成される。このトランジスタＱ５及びＱ６の互いのエミッタの接続点は、第１の差動回路を構成する他方のトランジスタＱ２のコレクタに接続される。
【００３３】
トランジスタＱ３のベースとトランジスタＱ５のベースとが接続され、トランジスタＱ４のベースとトランジスタＱ６のベースとが接続され、これらの接続点に各発振回路１２５〜１２７から局部発振信号が印加される。そして、互いに接続されたトランジスタＱ３、Ｑ６のコレクタと、トランジスタＱ４、Ｑ５のコレクタとの間に中間周波信号が出力される。かかる中間周波信号はＩＣ基板２０の出力端子部（Mix Out）から取り出されて中間周波同調回路１３１へ入力される。
【００３４】
次に、以上のように構成された本実施の形態の動作について説明する。
ＶＨＦ帯のハイバンドが選択された場合、第３トランジスタ１６及び第４トランジスタ１７を導通させるオン信号ＢＳ１が供給される。さらにＩＣ内部の混合入力回路の基準電圧が、混合回路１０での混合動作の最適化を図り得る適正なバイアス電圧ＢＢ１に制御される。ＩＣ内部の混合入力回路とはトランジスタＱ１、Ｑ２のベースに選択テレビジョン信号を導く入力回路のことである。
【００３５】
ＶＨＦ帯のローバンドが選択された場合、ハイバンド選択時と同様に、第３トランジスタ１６及び第４トランジスタ１７を導通させるオン信号ＢＳ２が供給される。さらに、ＩＣ内部の混合入力回路の基準電圧が、混合回路１０での混合動作の最適化を図り得る適正なバイアス電圧ＢＢ２に制御される。
【００３６】
図３はＶＨＦ帯のローバンド又はハイバンドが選択された場合の動作説明図である。第３トランジスタ１６及び第４トランジスタ１７を導通させるオン信号ＢＳ１／ＢＳ２が供給された場合、ＵＨＦ側ブロック２の段間同調回路１１３の平衡出力に関しては、段間同調回路１１３から平衡出力が印加される第２端子部１２及び第３端子部１３が第３トランジスタ１６のコレクタ−エミッタ間を介して接地される。一方、ＶＨＦ側ブロック３の段間同調回路１２３の不平衡出力に関しては、段間同調回路１２３の不平衡出力が印加される第１端子部１１にゲートが接続された第１トランジスタ１４が導通することにより、ＶＨＦ側ブロック３の段間同調回路１２３が混合回路１０の第１の入力端となるトランジスタＱ１のゲートに接続される。その一方で、混合回路１０の第２の入力端となるトランジスタＱ２のゲートが第３トランジスタ１６のコレクタ−エミッタを介して接地される。
【００３７】
すなわち、ＶＨＦ帯のローバンド又はハイバンドが選択された場合、ＵＨＦ側ブロック２の段間同調回路１１３の平衡入力は遮断される一方、ＶＨＦ側ブロック３の段間同調回路１２３の不平衡出力は混合回路１０の一方の入力端に結合され、かつ混合回路１０の他方の入力端は接地されて不平衡入力型の混合回路１０が構成されたことになる。
【００３８】
ＵＨＦ帯が選択された場合、第３トランジスタ１６及び第４トランジスタ１７を非導通とするオフ信号ＢＳＥが供給される。さらに、ＩＣ内部の混合入力回路の基準電圧が、混合回路１０での混合動作の最適化を図り得る適正なバイアス電圧ＢＢＥに制御される。
【００３９】
図４はＵＨＦ帯が選択された場合の動作説明図である。ＵＨＦ帯が選択された場合、第３トランジスタ１６及び第４トランジスタ１７を非導通とするオフ信号ＢＳＥが供給される。第４トランジスタ１７が非導通とされることにより、第１トランジスタ１４のコレクタにバイアス電圧Ｖccが印加されなくなり、第１トランジスタ１４のベースが抵抗素子２１、２４を介して接地される。この結果、第１トランジスタ１４は非導通となって、ＶＨＦ側ブロック３の段間同調回路１２３と混合回路１０の第１の入力端（トランジスタＱ１のベース）との結合が遮断される。
【００４０】
一方、第３トランジスタ１６のベースがオフ信号ＢＳＥにて非導通とされるので、ＵＨＦ側ブロック２の段間同調回路１１３から一方の平衡出力が印加される第２端子部１２は第２トランジスタ１５を介して混合回路１０の第１の入力端（トランジスタＱ１のゲート）と結合する。また、ＵＨＦ側ブロック２の段間同調回路１１３から他方の平衡出力が印加される第３端子部１３は混合回路１０の第２の入力端（トランジスタＱ２のベース）と結合する。すなわち、ＵＨＦ帯が選択された場合、ＵＨＦ側ブロック２の段間同調回路１１３を混合回路１０の第１の入力端（トランジスタＱ１のベース）及び第２の入力端（トランジスタＱ２のベース）に結合する平衡入力型の混合回路１０が構成されたことになる。
【００４１】
図６は、図２に示す回路構成におけるゲイン特性図であり、ＵＨＦ帯が選択された場合、ＶＨＦ帯のハイバンドが選択された場合、ＶＨＦ帯のローバンドが選択された場合のアンテナ同調回路１１１，１２１へのＲＦ入力と中間増幅回路１３２からのＩＦ出力とのゲインを示している。同図から、本実施の形態のように平衡入力型と不平衡入力型とを切り替える構成であっても、ＵＨＦ帯及びＶＨＦ帯のハイバンドでは全てのチャネルに対してフラットなゲイン特性が得られている。またＶＨＦ帯のローバンドでも相当のチャネル数はフラットなゲイン特性が得られている。
【００４２】
このように本実施の形態によれば、ＵＨＦ側ブロック２の段間同調回路１１３から平衡出力が与えられ、ＶＨＦ側ブロック３の段間同調回路１２３から不平衡出力が与えられる混合回路１０を、スイッチ回路４によって平衡入力型又は不平衡入力型に切り替え可能にしたので、１つの混合回路１０で不平衡出力及び平衡出力のいずれにも対応することができ、混合回路の削減によるコストダウンを実現できると共に小型化を図ることができる。
【００４３】
なお、本発明は上記した一実施の形態に限定されるものではなく、本発明の要旨を逸脱しない範囲で変形実施可能である。
【００４４】
例えば、前段の高周波回路から出力される平衡出力及び不平衡出力を後段の高周波増幅回路で増幅する電子回路に適用できる。高周波増幅回路に不平衡出力を入力する場合は、スイッチ回路により高周波増幅回路の第２の入力端を接地させた状態で、第１の入力端を前段の不平衡出力の高周波回路に結合する一方、前段の平衡出力の高周波回路との結合を遮断する。また、高周波増幅回路に平衡出力を入力する場合は、スイッチ回路により高周波増幅回路の第１の入力端と第２の入力端とを、前段の平衡出力の高周波回路に結合する一方、前段の不平衡出力の高周波回路との結合を遮断する。
【００４５】
上記高周波増幅回路以外でも不平衡入力型と平衡入力型とがある高周波回路であれば、上記実施の形態と同様に適用することができる。
【００４６】
また、以上の説明ではテレビジョンチューナを例に説明したが、本発明に係る電子回路の適用範囲はテレビジョンチューナに限定されるものではない。
【産業上の利用可能性】
【００４７】
本発明は、平衡出力と不平衡出力とが混在する各種電子回路に適用可能である。
【図面の簡単な説明】
【００４８】
【図１】本発明の一実施の形態に係るテレビジョンチューナの機能ブロック図
【図２】図１に示すスイッチ回路及び混合回路を中心とした回路構成図
【図３】ＶＨＦ帯を選択した場合における不平衡型入力の動作説明図
【図４】ＵＨＦ帯を選択した場合における平衡型入力の動作説明図
【図５】同調電圧とチャネルとの関係を示す図
【図６】ＲＦ入力とＩＦ出力のゲイン特性を示す図
【図７】従来のテレビジョンチューナの機能ブロック図
【符号の説明】
【００４９】
１  テレビジョンチューナ
２  ＵＨＦ部
３  ＶＨＦ部
４  スイッチ回路
１０  混合回路
１１  第１端子部
１２  第２端子部
１３  第３端子部
１４  第１トランジスタ
１５  第２トランジスタ
１６  第３トランジスタ
１７  第４トランジスタ
１１１、１２１  アンテナ同調回路
１１２、１２２  高周波増幅回路
１１３、１２３  段間同調回路
１２５  ハイバンド発振回路
１２６  ローバンド発振回路
１２７  ＵＨＦ発振回路
１３１  中間周波同調回路
１３２  中間周波増幅回路
【図１】
0004451827.tif 000002
【図２】
0004451827.tif 000003
【図３】
0004451827.tif 000004
【図４】
0004451827.tif 000005
【図５】
0004451827.tif 000006
【図６】
0004451827.tif 000007
【図７】
0004451827.tif 000008